【手続補正書】
【提出日】平成24年6月22日(2012.6.22)
【手続補正１】
【補正対象書類名】特許請求の範囲
【補正対象項目名】全文
【補正方法】変更
【補正の内容】
【特許請求の範囲】
【請求項１】
シートを搬送するシート搬送部と、 前記シート搬送部により搬送される前記シートの消色性着色剤により画像形成された画像の色を消す消色部と、 前記シート搬送部により搬送される前記シートを読み取り画像を取得する読取部と、 前記読取部が取得した画像に基づいて、前記シートが再利用可能か否かを判断する制御部と、 前記制御部が再利用可能か否かを判断したシートの枚数を第１の枚数、再利用可能と判断したシート枚数を第２の枚数、再利用不可能と判断したシート枚数を第３の枚数として記憶する記憶部と、 前記第２の枚数、前記第３の枚数、あるいは前記第１の枚数に対する前記第２の枚数の割合としての再利用率の内の少なくともいずれかを示す情報を表示部に表示させる表示制御部と、 を備える消色装置。 
【請求項２】
請求項１の装置において、 前記制御部は、判断対象となったシートが再利用不可能である場合に、再利用できない理由が、複数の所定の理由の内のいずれかに該当するかを判定し、 前記表示制御部は、前記制御部における判定結果に基づいて、前記複数の再利用できない理由それぞれにより再利用できないと判定されたシート枚数を、前記複数の再利用できない理由それぞれと対応付けて前記表示部に表示させる消色装置。 
【請求項３】
請求項２の装置において、 前記表示制御部は、前記制御部にて判定される再利用できない理由に対応づけて、前記理由に基づく再利用できない状態を改善するための所定のアドバイス内容を前記表示部に表示させる消色装置。 
【請求項４】
請求項２の装置において、 前記表示制御部は、前記制御部における判定結果に基づいて、前記複数の再利用できない理由それぞれにより再利用できないと判定されたシート枚数を、前記複数の再利用できない理由それぞれと対応付けて前記表示部にて表示させるとともに、再利用できないと判定された枚数が最も多い理由による再利用できない状態を改善するための所定のアドバイス内容を前記表示部に表示させる消色装置。 
【請求項５】
請求項２の装置において、 前記複数の再利用できない理由は、シート上の画像消し残り、シートの折れ、シートの破れ、シート上の残留物付着、を含む消色装置。 
【請求項６】
請求項２の装置において、 前記消色装置における消色処理の実行を指示するユーザの識別情報を取得する識別情報取得部と、 前記記憶部は、消色処理の実行を指示したユーザの識別情報と、前記制御部にて再利用不可と判定されるシート枚数を示す情報とを対応づけて記憶し、 前記表示制御部は、前記識別情報取得部にて前記識別情報を取得した場合に、前記記憶部に記憶される前記制御部にて再利用不可と判定されるシート枚数を示す情報の、前記識別情報のユーザに対応する集計結果を、前記表示部にて表示させる消色装置。 
【請求項７】
請求項６の装置において、  前記記憶部は、消色処理の実行日と、前記制御部にて再利用不可と判定されるシート枚数を示す情報とを対応づけて記憶し、 ユーザの操作入力を受け付ける操作入力部をさらに備え、 前記表示制御部は、消色処理の実行日に関する情報に基づく、前記記憶部に記憶される前記制御部にて再利用不可と判定されるシート枚数を示す情報の、互いに異なる複数の期間のいずれかを単位期間とする集計結果の表示要求を前記操作入力部にて受け付けた場合に、前記集計結果を前記表示部にて表示させる消色装置。 
【請求項８】
請求項１の装置において、 前記消色部にて消色処理を施されたシート枚数を求め、前記消色処理を施されたシート枚数に規定の係数を乗算して算出される環境負荷貢献率を求める貢献率算出部をさらに備え、 前記表示制御部は、前記貢献率算出部にて算出される環境負荷貢献率を、前記表示部にて表示させる消色装置。 
【請求項９】
請求項８の装置において、 前記表示制御部は、前記環境負荷貢献率を、所定のインジケータ領域を所定の画像によって指し示すことにより表示する消色装置。 
【請求項１０】
請求項９の装置において、 前記表示制御部は、前記環境負荷貢献率を、ＣＯ２排出量に応じて増減することが想定される所定の変動因子の増減量に基づいて表示する消色装置。 
【請求項１１】
請求項８の装置において、 前記消色装置における消色処理の実行を指示するユーザの識別情報を取得する識別情報取得部と、 前記記憶部は、消色処理の実行を指示したユーザの識別情報と、前記貢献率算出部にて算出される環境負荷貢献率を示す情報とを対応づけて記憶し、 前記表示制御部は、前記識別情報取得部にて前記識別情報を取得した場合に、前記記憶部に記憶される前記貢献率算出部にて算出される環境負荷貢献率を示す情報の、前記識別情報のユーザに対応する集計結果を、前記表示部にて表示させる消色装置。 
【請求項１２】
請求項１１の装置において、 前記記憶部は、消色処理の実行日と、前記貢献率算出部にて算出される環境負荷貢献率を示す情報とを対応づけて記憶し、 ユーザの操作入力を受け付ける操作入力部をさらに備え、 前記表示制御部は、消色処理の実行日に関する情報に基づく、前記記憶部に記憶される前記貢献率算出部にて算出される環境負荷貢献率を示す情報の、互いに異なる複数の期間のいずれかを単位期間とする集計結果の表示要求を前記操作入力部にて受け付けた場合に、前記集計結果を前記表示部にて表示させる消色装置。 
【請求項１３】
請求項１の装置において、 シートの重送、あるいは束搬送の少なくともいずれかを検知するセンサを更に備え、 前記制御部は、前記読取部が取得した画像あるいは、前記センサの検知結果に基づいて、前記シートが再利用可能か否かを判断する消色装置。 
【請求項１４】
請求項１の装置において、 前記消色装置と通信可能な画像形成装置にて印字処理を施されたシート枚数を示す情報を取得する印字枚数情報取得部と、 前記印字枚数情報取得部により取得されるシート枚数に対する、前記消色部にて消色処理を施されたシート枚数の割合である消色処理実施率を算出する消色処理実施率算出部と、をさらに備え、 前記表示制御部は、前記消色処理実施率を前記表示部に画面表示させる消色装置。 
【請求項１５】
請求項１の装置において、 前記消色装置がウォーミングアップ動作を行っているか否かを判別する動作判別部と、 前記表示制御部は、前記動作判別部にて前記消色装置がウォーミングアップ動作を行っていると判定される場合に、前記記憶部に記憶されている前記消色装置および前記画像形成装置の少なくともいずれかの使用法を示す情報をガイダンス表示する消色装置。 
【請求項１６】
請求項１の装置において、 前記消色装置における消色処理の実行を指示するユーザの識別情報を取得する識別情報取得部と、 前記記憶部は、消色処理の実行を指示したユーザの識別情報と、前記制御部にて再利用不可と判定されるシート枚数を示す情報とを対応づけて記憶し、 前記表示制御部は、前記識別情報取得部にて前記識別情報を取得した場合に、前記記憶部に記憶される前記制御部にて再利用不可と判定されるシート枚数を示す情報の、前記識別情報のユーザに対応する集計結果を、前記表示部にて表示させる消色装置。 
【請求項１７】
請求項１６の装置において、 前記記憶部は、消色処理の実行日と、前記制御部にて再利用不可と判定されるシート枚数を示す情報とを対応づけて記憶し、 ユーザの操作入力を受け付ける操作入力部をさらに備え、 前記表示制御部は、消色処理の実行日に関する情報に基づく、前記記憶部に記憶される前記制御部にて再利用不可と判定されるシート枚数を示す情報の、互いに異なる複数の期間のいずれかを単位期間とする集計結果の表示要求を前記操作入力部にて受け付けた場合に、前記集計結果を前記表示部にて表示させる消色装置。 
【請求項１８】
請求項１の装置において、 前記記憶部は、消色処理の実行日と、前記制御部にて再利用不可と判定されるシート枚数を示す情報とを対応づけて記憶し、 ユーザの操作入力を受け付ける操作入力部をさらに備え、 前記表示制御部は、消色処理の実行日に関する情報に基づく、前記記憶部に記憶される前記制御部にて再利用不可と判定されるシート枚数を示す情報の、互いに異なる複数の期間のいずれかを単位期間とする集計結果の表示要求を前記操作入力部にて受け付けた場合に、前記集計結果を前記表示部にて表示させる消色装置。 
【請求項１９】
請求項１８の装置において、 前記表示制御部は、消色処理の実行日に関する情報に基づく、前記記憶部に記憶される前記制御部にて再利用不可と判定されるシート枚数を示す情報の、互いに異なる複数の期間のいずれかを単位期間とする集計結果の表示要求を前記操作入力部にて受け付けた場合に、前記集計結果を前記表示部にて表示させる消色装置。 
【請求項２０】
請求項１の装置において、 前記消色性着色剤は加熱されることにより色が消える消色装置。 
【請求項２１】
消色性着色剤により画像形成されたシートの画像の色を消す消色部と、搬送される前記シートを読み取り画像を取得する読取部と、を有し、取得した画像に基づいて、前記シートが再利用可能か否かを判断する消色装置と接続する制御装置であって、 前記消色装置が再利用可能か否かを判断したシートの枚数を第１の枚数、再利用可能と判断したシート枚数を第２の枚数、再利用不可能と判断したシート枚数を第３の枚数として記憶する記憶部と、 前記第２の枚数、前記第３の枚数、あるいは前記第１の枚数に対する前記第２の枚数の割合としての再利用率の内の少なくともいずれかを示す情報を表示部へ送信する制御部と、 を備える制御装置。 
【請求項２２】
請求項２１の装置において、 前記制御部は、判断対象となったシートが再利用不可能である場合に、再利用できない理由が、複数の所定の理由の内のいずれかに該当するかを判定し、 前記表示制御部は、前記制御部における判定結果に基づいて、前記複数の再利用できない理由それぞれにより再利用できないと判定されたシート枚数を、前記複数の再利用できない理由それぞれと対応付けて前記表示部に表示させる制御装置。 
【請求項２３】
請求項２２の装置において、 前記表示制御部は、前記制御部にて判定される再利用できない理由に対応づけて、前記理由に基づく再利用できない状態を改善するための所定のアドバイス内容を前記表示部に表示させる制御装置。 
【請求項２４】
請求項２２の装置において、 前記表示制御部は、前記制御部における判定結果に基づいて、前記複数の再利用できない理由それぞれにより再利用できないと判定されたシート枚数を、前記複数の再利用できない理由それぞれと対応付けて前記表示部にて表示させるとともに、再利用できないと判定された枚数が最も多い理由による再利用できない状態を改善するための所定のアドバイス内容を前記表示部に表示させる制御装置。 
【請求項２５】
請求項２１の装置において、 前記消色部にて消色処理を施されたシート枚数を求め、前記消色処理を施されたシート枚数に規定の係数を乗算して算出される環境負荷貢献率を求める貢献率算出部をさらに備え、 前記表示制御部は、前記貢献率算出部にて算出される環境負荷貢献率を、前記表示部にて表示させる制御装置。 
【請求項２６】
請求項２５の装置において、 前記表示制御部は、前記環境負荷貢献率を、所定のインジケータ領域を所定の画像によって指し示すことにより表示する制御装置。 
【請求項２７】
請求項２６の装置において、 前記表示制御部は、前記環境負荷貢献率を、ＣＯ２排出量に応じて増減することが想定される所定の変動因子の増減量に基づいて表示する制御装置。 
【請求項２８】
請求項２１の装置において、 シートの重送、あるいは束搬送の少なくともいずれかを検知するセンサを更に備え、 前記制御部は、前記読取部が取得した画像あるいは、前記センサの検知結果に基づいて、前記シートが再利用可能か否かを判断する制御装置。 
【請求項２９】
請求項２１の装置において、 前記消色装置と通信可能な画像形成装置にて印字処理を施されたシート枚数を示す情報を取得する印字枚数情報取得部と、 前記印字枚数情報取得部により取得されるシート枚数に対する、前記消色部にて消色処理を施されたシート枚数の割合である消色処理実施率を算出する消色処理実施率算出部と、をさらに備え、 前記表示制御部は、前記消色処理実施率を前記表示部に画面表示させる制御装置。 
【請求項３０】
請求項２１の装置において、 前記消色装置がウォーミングアップ動作を行っているか否かを判別する動作判別部と、 前記表示制御部は、前記動作判別部にて前記消色装置がウォーミングアップ動作を行っていると判定される場合に、前記記憶部に記憶されている前記消色装置および前記画像形成装置の少なくともいずれかの使用法を示す情報をガイダンス表示する制御装置。 
【請求項３１】
請求項２２の装置において、 前記消色装置における消色処理の実行を指示するユーザの識別情報を取得する識別情報取得部をさらに備え、 前記記憶部は、消色処理の実行を指示したユーザの識別情報と、前記制御部にて再利用不可と判定されるシート枚数を示す情報とを対応づけて記憶し、 前記表示制御部は、前記識別情報取得部にて前記識別情報を取得した場合に、前記記憶部に記憶される前記制御部にて再利用不可と判定されるシート枚数を示す情報の、前記識別情報のユーザに対応する集計結果を、前記表示部にて表示させる制御装置。 
【請求項３２】
請求項３１の装置において、 前記記憶部は、消色処理の実行日と、前記制御部にて再利用不可と判定されるシート枚数を示す情報とを対応づけて記憶し、 ユーザの操作入力を受け付ける操作入力部をさらに備え、 前記表示制御部は、消色処理の実行日に関する情報に基づく、前記記憶部に記憶される前記制御部にて再利用不可と判定されるシート枚数を示す情報の、互いに異なる複数の期間のいずれかを単位期間とする集計結果の表示要求を前記操作入力部にて受け付けた場合に、前記集計結果を前記表示部にて表示させる制御装置。 
【請求項３３】
消色性着色剤により画像形成されたシートの画像の色を消す消色部と、搬送される前記シートを読み取り画像を取得する読取部と、を有する消色装置で処理したシートの処理情報を表示部に表示する表示方法であって、 前記読取部で取得した画像に基づいて、前記シートが再利用可能か否かを判断し、 前記読取部で再利用可能か否かを判断したシートの枚数を第１の枚数、再利用可能と判断したシート枚数を第２の枚数、再利用不可能と判断したシート枚数を第３の枚数として記憶部へ記憶し、 前記第２の枚数、前記第３の枚数、あるいは前記第１の枚数に対する前記第２の枚数の割合としての再利用率の内の少なくともいずれかを示す情報を表示部へ表示させることを特徴とする表示方法。 
【請求項３４】
請求項３３の方法において、 判断対象となったシートが再利用不可能である場合に、再利用できない理由が、複数の所定の理由の内のいずれかに該当するかを判定し、 前記判定結果に基づいて、前記複数の再利用できない理由それぞれにより再利用できないと判定されたシート枚数を、前記複数の再利用できない理由それぞれと対応付けて前記表示部に表示させる表示方法。 
【請求項３５】
請求項３４の方法において、 前記判定される再利用できない理由に対応づけて、前記理由に基づく再利用できない状態を改善するための所定のアドバイス内容を前記表示部に表示させる表示方法。 
【請求項３６】
請求項３４の方法において、 前記判定結果に基づいて、前記複数の再利用できない理由それぞれにより再利用できないと判定されたシート枚数を、前記複数の再利用できない理由それぞれと対応付けて前記表示部にて表示させるとともに、再利用できないと判定された枚数が最も多い理由による再利用できない状態を改善するための所定のアドバイス内容を前記表示部に表示させる表示方法。 
【請求項３７】
請求項３３の方法において、 前記消色部にて消色処理を施されたシート枚数を求め、前記消色処理を施されたシート枚数に規定の係数を乗算して算出される環境負荷貢献率を求め、 算出される環境負荷貢献率を、前記表示部にて表示させる表示方法。 
【請求項３８】
請求項３７の方法において、 前記環境負荷貢献率を、所定のインジケータ領域を所定の画像によって指し示すことにより表示する表示方法。 
【請求項３９】
請求項３８の方法において、 前記環境負荷貢献率を、ＣＯ２排出量に応じて増減することが想定される所定の変動因子の増減量に基づいて表示する表示方法。 
【請求項４０】
請求項３３の方法において、 前記消色装置は、シートの重送、あるいは束搬送の少なくともいずれかを検知するセンサを更に備え、 前記読取部が取得した画像あるいは、前記センサの検知結果に基づいて、前記シートが再利用可能か否かを判断する表示方法。 
【請求項４１】
請求項３３の方法において、 前記消色装置と通信可能な画像形成装置にて印字処理を施されたシート枚数を示す情報を取得し、 取得されるシート枚数に対する、前記消色部にて消色処理を施されたシート枚数の割合である消色処理実施率を算出し、 前記消色処理実施率を前記表示部に画面表示させる表示方法。 
【請求項４２】
請求項３３の方法において、 前記消色装置がウォーミングアップ動作を行っているか否かを判別し、 前記消色装置がウォーミングアップ動作を行っていると判定される場合に、前記記憶部に記憶されている前記消色装置および前記画像形成装置の少なくともいずれかの使用法を示す情報をガイダンス表示する表示方法。 
【請求項４３】
請求項３３の方法において、 前記消色装置における消色処理の実行を指示するユーザの識別情報を取得し、 消色処理の実行を指示したユーザの識別情報と、再利用不可と判定されるシート枚数を示す情報とを対応づけて記憶し、 前記識別情報を取得した場合に、前記記憶部に記憶される再利用不可と判定されるシート枚数を示す情報の、前記識別情報のユーザに対応する集計結果を、前記表示部にて表示させる表示方法。 
【請求項４４】
請求項３３の方法において、 前記記憶部は、消色処理の実行日と、再利用不可と判定されるシート枚数を示す情報とを対応づけて記憶し、 消色処理の実行日に関する情報に基づく、前記記憶部に記憶される再利用不可と判定されるシート枚数を示す情報の、互いに異なる複数の期間のいずれかを単位期間とする集計結果の表示要求を受け付けた場合に、前記集計結果を前記表示部にて表示させる表示方法。
【手続補正２】
【補正対象書類名】明細書
【補正対象項目名】発明の名称
【補正方法】変更
【補正の内容】
【発明の名称】消色装置、制御装置、表示方法
【手続補正３】
【補正対象書類名】明細書
【補正対象項目名】０００５
【補正方法】変更
【補正の内容】
【０００５】  上記課題を解決するため、一般に、実施形態によれば、消色装置は、シート搬送部と、消色部と、読取部と、制御部と、記憶部と、表示制御部とをもつ。消色部は、シート搬送部により搬送されるシートの消色性着色剤により画像形成された画像の色を消す。読取部は、前記シート搬送部により搬送される前記シートを読み取り画像を取得する。制御部は、前記読取部が取得した画像に基づいて、前記シートが再利用可能か否かを判断する。記憶部は、前記制御部が再利用可能か否かを判断したシートの枚数を第１の枚数、再利用可能と判断したシート枚数を第２の枚数、再利用不可能と判断したシート枚数を第３の枚数として記憶する。表示制御部は、前記第２の枚数、前記第３の枚数、あるいは前記第１の枚数に対する前記第２の枚数の割合としての再利用率の内の少なくともいずれかを示す情報を表示部に表示させる。
【手続補正４】
【補正対象書類名】明細書
【補正対象項目名】０００８
【補正方法】変更
【補正の内容】
【０００８】  以下、実施の形態について図面を参照しつつ説明する。（第１の実施の形態）  まず、第１の実施の形態について説明する。  図１は、第１の実施の形態による消色装置Ｅの外観を上方から見た平面図である。図２は、第１の実施の形態による消色装置Ｅの外観を正面から見た正面図である。  消色装置Ｅは、いわゆる消色性トナーや消色性インク等の「消色性着色剤」により画像を形成されたシートに対して、当該消色性着色剤の色を消す「消色処理」を施す。  図１および図２に示すように、第１の実施の形態による消色装置Ｅは、ＰＲＯＣＥＳＳＯＲ８０１、ＡＳＩＣ（Application Specific Integrated Circuit）８０２、ＭＥＭＯＲＹ８０３（記憶部に相当）、ＨＤＤ（Hard Disk Drive）８０４（記憶部に相当）、 表示部８０５ａ、タッチパネル（touch panel）式操作部８０５ｂ（操作入力部に相当）、ボタン式操作部８０６（操作入力部に相当）、ＩＣカードリーダ８０７、供給カセット５０５および５０６、排出カセット５０１および５０２、リジェクトボックス５０９、を備えている。
【手続補正５】
【補正対象書類名】明細書
【補正対象項目名】００２５
【補正方法】変更
【補正の内容】
【００２５】  なお、ここでの「消色処理を実行できない（再利用できない）理由」の具体例としては、たとえば、（１）シート上に消し残りの画像がある（ボールペン等の消色できない筆記具により記入されている場合など）（２）シートに折れや破れがある（３）シートが束になっている（シート束がステイプルされている場合など）（４）シートに残留物がある（シートに付箋が貼り付けられている場合など）といったものが挙げられる。
【手続補正６】
【補正対象書類名】明細書
【補正対象項目名】００４０
【補正方法】変更
【補正の内容】
【００４０】（５）．（４）の装置において、  前記表示制御部は、前記消色可否判定部における判定結果に基づいて、前記複数の消色処理を実行できない理由それぞれにより消色処理を実行できないと判定されたシート枚数を、前記複数の消色処理を実行できない理由それぞれと対応付けて前記ディスプレイにて画面表示させる消色装置。（６）．（４）の装置において、  前記表示制御部は、前記消色可否判定部にて判定される消色処理を実行できない理由に対応づけて、前記理由に基づく消色処理を実行できない状態を改善するための所定のアドバイス内容を前記ディスプレイに画面表示させる消色装置。
【手続補正７】
【補正対象書類名】明細書
【補正対象項目名】００７１
【補正方法】変更
【補正の内容】
【００７１】  表示制御部１０２ｅは、識別情報取得部１０８にてユーザの識別情報を取得した場合に、ＨＤＤ８０４に記憶される「消色可否判定部１０１にて消色処理実行不可と判定されるシート枚数を示す情報」の、「識別情報」および「該識別情報のユーザが所属する部署」の内のいずれか操作入力部にて指定される集計基準に基づく集計結果を、表示部８０５ａにて画面表示させる。